(57)【要約】【課題】画像と音とを自然な形で臨場感をもって楽しむことができ、かつ薄型ディスプレーの特徴を損うことのないスピーカシステムを提供する。【解決手段】曲面状にボードを成形する。このボードを振動体６とし、その内面両側の適位置にそれぞれ少なくとも一以上のＬ，Ｒ用ドライバ７を設けてステレオボードスピーカ８を構成する。この大きさを映像装置３とほぼ同形状とし、その背面に取付け、壁状体の前面に配置するスピーカシステムとした。【選択図】　図１
2004096273.tif 000002
【特許請求の範囲】
【請求項１】
映像装置（３）と、この映像装置（３）の背面に設けられ、かつ壁状体との間に空間（５）をもって配置されたステレオボードスピーカ（８）とを備え、
このステレオボードスピーカ（８）は、映像装置（３）の背面とほぼ同形状であって、曲面に形成された振動体（６）と、この振動体（６）の内面左右にそれぞれ設けられたドライバ（７）とからなることを特徴とした映像装置用スピーカシステム。
【請求項２】
請求項１記載において、前記曲面は、この曲面と前記壁状体とでホーン形状を形成する曲面であることを特徴とする映像装置用スピーカシステム。
【発明の詳細な説明】
【０００１】
【発明の属する技術分野】
この発明は、大型の液晶テレビやプラズマディスプレー装置等に用いられる映像装置用スピーカシステムに関する。
【０００２】
【従来の技術】
大型であって薄型の液晶ディスプレーやプラズマディスプレー等からなる映像装置が高価であるにもかかわらず迫力ある大画面を楽しむことができることから一般に普及しており、この種の装置には複数のスピーカが組込まれている。
【０００３】
従来、図４や図５に示すように、これらの映像装置３には、画面の左右あるいは上下両端部にスピーカユニット９がそれぞれ設けられ、画面１上の動画と音の整合をとっていた。
【０００４】
【発明が解決しようとする課題】
しかしながら、画面のサイズが大きくなればなるほど、映像の動きと音とが分離した感じになって合わなくなり、不自然な感じとなってしまう、という課題があった。
【０００５】
また、低音まで再生しようとするとスピーカユニットが大きくなり、薄型のディスプレーの特徴が生かせない、という課題があった。
【０００６】
さらに、スピーカユニット９が画面の外側に設けられた構造となっており、外形が大型化してしまう、という課題があった。
【０００７】
さらにまた、スピーカユニット９が聴視者の目に触れ、違和感がある、という課題があった。
【０００８】
この発明は上記のことに鑑み提案されたもので、その目的とするところは、画像と音とを自然な形で臨場感をもって楽しむことができ、かつ薄型ディスプレーの特徴を損うことのないスピーカシステムを提供することにある。
【０００９】
【課題を解決するための手段】
この発明は、映像装置３と、この映像装置３の背面に設けられ、かつ壁状体との間に空間５をもって配置されたステレオボードスピーカ８とを備え、前記ステレオボードスピーカ８は、映像装置３の背面とほぼ同形状であって、曲面に形成された振動体６と、この振動体６の内面左右にそれぞれ設けられたドライバ７とからなる構成とし、上記目的を達成している。
【００１０】
また、上記曲面は、この曲面と壁状体とでホーン形状を形成する曲面であることを特徴とする。
【００１１】
【発明の実施の形態】
以下、図面に沿って本発明を説明する。
【００１２】
【実施例】
図１は本発明の一実施例の平面図、図２および図３は動作説明図を示す。図中１は壁２の前方に設けられた横長であって平面視ほぼ長方形の液晶ディスプレーまたはプラズマディスプレーの映像装置３の画面である。この映像装置３の構造は周知である。また、この映像装置３は、床面上または壁面に設けられる、例えば図２に示すような形状の支持台４によって適宜支持される。
【００１３】
この支持台４は映像装置３が上部に取付けられる支持面４ａを有し、その上面前方寄りに映像装置３が載置・取付けられ、後方に空間５が形成され、映像装置３の背面と壁面２との間に空間５が形成される。なお、支持台４の形状は図示例に限定されるものではない。
【００１４】
６は板を曲面に成形してなる振動体である。この振動体６はほぼ長方形をなし、両端部は映像装置３の背面両端部またはその近傍に取付け、固定され、中央部が後方に向かって突出形成される。
【００１５】
この振動体６の素材としては発泡スチロール、その他の樹脂、紙、ハニカム構造体、ＦＲＰ（繊維強化プラスチック）等公知の各種材料から適宜選択され、これを所望の形状に成形して使用する。
【００１６】
大きさとしては、映像装置の背面の大きさとほぼ等しくすることが好ましい。画面の動画と音との整合性、つまり動画と音響とがマッチして画面と音との一体感を得ることができるためである。なお、大きさは必ずしも映像装置３と振動体６とを等しく形成する必要はなく、所望の目的が達成できれば若干小さくても良いことは勿論である。
【００１７】
振動体６の内面左右の適位置にはＬ，Ｒ用のドライバ７がそれぞれ設けられている。
【００１８】
このドライバ７は、周知のように、磁気回路と、この磁気回路の磁気ギャップに振動可能に設けられたボイスコイルとを備え、ボイスコイルを包有してなる駆動部が振動体６の内面に結合され、各ドライバ７を介して振動体６に振動が伝達され音波を放射可能になっている。
【００１９】
このドライバ７は少なくとも左右に左用、右用一つずつ設けられ、これらドライバ７および振動体６によっていわゆるステレオボードスピーカ８が構成されている。
【００２０】
なお、ステレオボードスピーカ８の上下面のいずれか一方は適形状、適材質の板状部材（図示せず）によって閉じても良い。
【００２１】
また、図３において、ｒ０は壁面２とステレオボードスピーカ８の背面頂部との距離、ｒは壁面２とステレオボードスピーカ８の背面両端部との距離で、ｒ＞ｒ０の関係となっている。また、背面頂部と各端部間の距離はそれぞれＬで、それぞれ等しく形成し、ステレオボードスピーカ８の曲面が、この曲面と壁面２とでホーン形状を形成することによって、良好な音響効率を得ることができるように構成されている。
【００２２】
次に本発明の動作について説明する。
【００２３】
各ドライバ７にステレオの音声信号を加えるとステレオボードスピーカ８の振動体６はそれに対応して振動して音波を放射する。
【００２４】
ステレオボードスピーカ８からの音波は各図において矢印で示すように後方の壁面２にあたり、前方に向かって反射し、前方にいる人は、あたかも映画館のスクリーンから音が出ているような臨場感をもって音を聞くことができる。
【００２５】
なお、ステレオボードスピーカ８は壁面２の前方のみに配置されるものではなく、衝立のような壁状体の前方に配置しても良いことは勿論である。
【００２６】
【発明の効果】
以上のように本発明によれば、映像装置３と、この映像装置３の背面に設けられ、かつ壁状体との間に空間５をもって配置されたステレオボードスピーカ８とを備え、前記ステレオボードスピーカ８は、映像装置３の背面とほぼ同形状であって、曲面に形成された振動体６と、この振動体６の内面左右にそれぞれ設けられたドライバ７とからなり、映像の後方から前方に回り込んでくる映像と音とがマッチした臨場感のある音を聞くことができる。
【００２７】
また、スピーカユニットが後方にかくれ画面の外側に露出していないため、違和感がなく、映画館や劇場的な雰囲気でもって映像と音とを楽しむことができる。
【００２８】
さらに、スピーカユニットが画面の外側に露出しないため、外形形状の大型化を防止し得る。
【図面の簡単な説明】
【図１】本発明の一実施例の平面図を示す。
【図２】同上の動作説明用の斜視図を示す。
【図３】同上の動作説明用の平面図を示す。
【図４】一従来例の正面図を示す。
【図５】他の従来例の正面図を示す。
【符号の説明】
１　　画面
２　　壁面
３　　映像装置
４　　支持台
４ａ　支持面
５　　空間
６　　振動体
７　　ドライバ
８　　ステレオボードスピーカ
【図１】
2004096273.tif 000003
【図２】
2004096273.tif 000004
【図３】
2004096273.tif 000005
【図４】
2004096273.tif 000006
【図５】
2004096273.tif 000007